(57)【要約】【課題】外部機器接続用のコネクタに風綿が侵入することを確実に防止すること。【解決手段】機台制御装置のパネル６は、ベースプレート１０と、このベースプレート１０に取り付けられた２つのコネクタ１３，１４と、２つのコネクタ１３，１４をそれぞれ個別に覆う２つのコネクタカバー１５，１６を有する。２つのコネクタカバー１５，１６は、コネクタ１３，１４を覆わない開位置とコネクタ１３，１４を覆う閉位置との間で、ベースプレート１０に対してスライド移動する。【選択図】図２
2013253336.tif 000002
【特許請求の範囲】
【請求項１】
繊維機械を制御する制御装置であって、
外部機器接続用のコネクタと、
前記コネクタの非接続時に前記コネクタを覆うコネクタカバーと、
を備えていることを特徴とする繊維機械の制御装置。
【請求項２】
前記コネクタが取り付けられるベース部材と、
前記コネクタカバーを前記ベース部材に対して案内する案内部を有し、
前記コネクタカバーは、前記案内部によって案内されつつ、前記コネクタを覆わない開位置と前記コネクタを覆う閉位置との間で、前記ベース部材に対して移動することを特徴とする請求項１に記載の繊維機械の制御装置。
【請求項３】
前記案内部は、前記コネクタカバーを上下方向にスライド移動可能に案内するものであり、
前記コネクタカバーの、その移動範囲の下端位置が前記閉位置であることを特徴とする請求項２に記載の繊維機械の制御装置。
【請求項４】
前記案内部は、前記コネクタカバーを、前記閉位置と前記開位置の少なくとも一方の位置で保持する保持部を有することを特徴とする請求項２又は３に記載の繊維機械の制御装置。
【請求項５】
前記コネクタカバーには、前記案内部によって案内される被案内部が設けられ、
前記案内部に前記保持部として第１係合部が形成される一方で、前記被案内部に前記第１係合部と係合する第２係合部が形成され、
前記案内部の前記第１係合部に前記被案内部の前記第２係合部が係合することによって、前記コネクタカバーが前記案内部に保持されることを特徴とする請求項４に記載の繊維機械の制御装置。
【請求項６】
前記案内部は前記被案内部よりも硬質の材料で形成され、
前記案内部の前記第１係合部が凹状に形成され、前記被案内部の前記第２係合部が凸状に形成されていることを特徴とする請求項５に記載の繊維機械の制御装置。
【請求項７】
前記案内部には、前記コネクタカバーが、前記開位置から前記閉位置に向けて移動する際に、前記閉位置を越えて移動することを規制するストッパーが設けられていることを特徴とする請求項２〜６に記載の繊維機械の制御装置。
【請求項８】
前記複数のコネクタをそれぞれ個別に覆う複数の前記コネクタカバーを有することを特徴とする請求項１〜７の何れかに記載の繊維機械の制御装置。
【発明の詳細な説明】
【技術分野】
【０００１】
本発明は、繊維機械を制御する制御装置に関する。
【背景技術】
【０００２】
糸を処理する繊維機械として、特許文献１には、糸を巻取る巻取ユニットを複数備えた自動ワインダが開示されている。各巻取ユニットは、給糸ボビンから解舒された糸を巻き直して所定形状のパッケージを形成する。また、自動ワインダは、複数の巻取ユニットの動作をそれぞれ制御する制御装置を備えている。この制御装置には、外部機器を接続するための各種コネクタが一般的に設けられている。特許文献１では、制御装置にメモリーカードが挿入される外部挿入口が設けられた例が示されている。
【先行技術文献】
【特許文献】
【０００３】
【特許文献１】特開平１１−１０７０７６号公報
【発明の概要】
【発明が解決しようとする課題】
【０００４】
ところで、上記の自動ワインダなどの繊維機械の周囲には、糸を処理する際に発生した風綿が至るところに存在し、その風綿の一部は繊維機械にも付着する。その際、制御装置に設けられたコネクタが外部に開放された状態であると、このコネクタに風綿が侵入し、機器との接続不良を生じさせる虞がある。
【０００５】
本発明の目的は、繊維機械の制御装置において、外部機器接続用のコネクタに風綿が侵入することを確実に防止することである。
【課題を解決するための手段及び発明の効果】
【０００６】
第１の発明の繊維機械の制御装置は、繊維機械を制御する制御装置であって、外部機器接続用のコネクタと、前記コネクタの非接続時に前記コネクタを覆うコネクタカバーとを備えていることを特徴とするものである。
【０００７】
本発明によれば、コネクタが外部機器と接続されていない状態にあるときに、このコネクタがコネクタカバーによって覆われる。従って、コネクタに風綿が侵入することが確実に防止される。
【０００８】
第２の発明の繊維機械の制御装置は、前記第１の発明において、前記コネクタが取り付けられるベース部材と、前記コネクタカバーを前記ベース部材に対して案内する案内部を有し、前記コネクタカバーは、前記案内部によって案内されつつ、前記コネクタを覆わない開位置と前記コネクタを覆う閉位置との間で、前記ベース部材に対して移動することを特徴とするものである。
【０００９】
本発明では、コネクタカバーをベース部材に対して移動させることによって、コネクタカバーの位置を開位置と閉位置との間で簡単に切り換えることができる。また、コネクタカバーを回動させて開閉する構成とは違って、コネクタカバーが飛び出た状態とはならず、制御装置においてオペレータが設定等の作業を行う際の邪魔にならない。
【００１０】
第３の発明の繊維機械の制御装置は、前記第２の発明において、前記案内部は、前記コネクタカバーを上下方向にスライド移動可能に案内するものであり、前記コネクタカバーの、その移動範囲の下端位置が前記閉位置であることを特徴とするものである。
【００１１】
コネクタカバーが上下方向にスライド移動する構成において、その移動範囲の上端位置が閉位置であるとすると、コネクタカバーを重力に抗して上方へ押し上げることによってコネクタを閉止することになる。この場合、本来閉位置にあるべきコネクタの非接続時に、コネクタカバーが重力によって開位置まで落下し、コネクタが開放されてしまうことが考えられる。これに対して、本発明では、コネクタカバーの移動範囲の下端位置が閉位置であることから、重力の作用で、コネクタカバーが閉位置から開位置に勝手に移動することがない。
【００１２】
第４の発明の繊維機械の制御装置は、前記第２又は第３の発明において、前記案内部は、前記コネクタカバーを、前記閉位置と前記開位置の少なくとも一方の位置で保持する保持部を有することを特徴とする。
【００１３】
コネクタカバーが閉位置にあるときに、保持部によってコネクタカバーが保持されていると、コネクタカバーが閉位置から勝手に移動してコネクタが開放されてしまうことが防止される。また、コネクタカバーが開位置にあるときに、保持部によってコネクタカバーが保持されていると、コネクタに外部機器を接続したり、あるいは、コネクタから外部機器を取り外したり際に、コネクタカバーが作業の邪魔にならない。尚、本発明において、「コネクタカバーを保持する」とは、重力や装置振動等によって勝手にコネクタカバーが閉位置や開位置からずれてしてしまうことがない程度に、コネクタカバーの移動を規制することを意味するのであって、オペレータがコネクタカバーに力を加えてスライドさせることは許容される。
【００１４】
第５の発明の繊維機械の制御装置は、前記第４の発明において、前記コネクタカバーには、前記案内部によって案内される被案内部が設けられ、前記案内部に前記保持部として第１係合部が形成される一方で、前記被案内部に前記第１係合部と係合する第２係合部が形成され、前記案内部の前記第１係合部に前記被案内部の前記第２係合部が係合することによって、前記コネクタカバーが前記案内部に保持されることを特徴とするものである。
【００１５】
本発明では、保持部としての第１係合部と、コネクタカバーの被案内部の第２係合部とが係合することによって、コネクタカバーが閉位置又は開位置で保持される。
【００１６】
第６の発明の繊維機械の制御装置は、前記第５の発明において、前記案内部は前記被案内部よりも硬質の材料で形成され、前記案内部の前記第１係合部が凹状に形成され、前記被案内部の前記第２係合部が凸状に形成されていることを特徴とするものである。
【００１７】
コネクタカバーがスライド移動する際には、コネクタカバーの被案内部の凸状の第２係合部がやや押し潰された状態で案内部に対して摺動する。この第２係合部は、凹状の第１係合部の位置に到達すると形状が元に戻り、２つの係合部が係合することによってコネクタカバーの位置が保持される。ここで、第２係合部の案内部に対する摺動によって、案内部と第２係合部とにそれぞれ摩耗が生じる。摩耗が進行すると、コネクタカバーがスライド移動する際にがたついたり、第１係合部によってコネクタカバーを保持できなくなったりする。この点、本発明では、第２係合部は凸状であり案内部との接触面積が小さい状態で摺動することから、第２係合部は案内部と比べて摩耗が激しい。さらに、案内部は、被案内部（第２係合部）よりも硬質の材料で形成されているため、第２係合部に比べて案内部の摩耗は非常に小さくなる。そのため、ベース部材に固定される案内部を交換する必要がほとんどなく、被案内部のみを交換すれば済むため、交換作業が容易である。
【００１８】
第７の発明の繊維機械の制御装置は、前記第２〜第６の何れかの発明において、前記案内部には、前記コネクタカバーが、前記開位置から前記閉位置に向けて移動する際に、前記閉位置を越えて移動することを規制するストッパーが設けられていることを特徴とするものである。
【００１９】
本発明では、ストッパーにより、コネクタカバーが閉位置を越えて移動することが規制されるため、コネクタカバーを開位置から閉位置に向けてスライドさせたときに、閉位置を通り過ぎてしまってコネクタが開放されてしまうことがない。
【００２０】
第８の発明の繊維機械の制御装置は、前記第１〜第７の何れかの発明において、前記複数のコネクタをそれぞれ個別に覆う複数の前記コネクタカバーを有することを特徴とするものである。
【００２１】
本発明では、複数のコネクタが複数のコネクタカバーによって個別に覆われることから、一部のコネクタにのみ外部機器が接続されているとき場合に、外部機器と接続されていない他のコネクタについてはコネクタカバーで覆って風綿の侵入を確実に防止できる。
【図面の簡単な説明】
【００２２】
【図１】本実施形態に係る自動ワインダの正面図である。
【図２】パネルの斜視図であり、（ａ）はコネクタが閉止された状態、（ｂ）はコネクタが開放された状態をそれぞれ示す。
【図３】パネルの正面図である。
【図４】パネルの分解斜視図である。
【図５】図４に示される案内部材及び被案内部材を前方から見た図である。
【図６】変更形態に係るパネルの斜視図である。
【発明を実施するための形態】
【００２３】
次に、本発明の実施の形態について説明する。本実施形態は、繊維機械の一種である自動ワインダに本発明を適用した一例である。図１は本実施形態に係る自動ワインダの正面図である。
【００２４】
図１に示すように、自動ワインダ１は、図１の左右方向に列設された複数の巻取ユニット２と、これら複数の巻取ユニット２に沿ってそれらの列設方向に走行自在に設けられた玉揚装置３と、自動ワインダ１の全体制御を司る機台制御装置４とを備えている。尚、機台制御装置４は、巻取ユニット２の列設方向一端側に配置されている。
【００２５】
各巻取ユニットは、給糸ボビンＢから解舒される糸Ｙを、クレードル（図示省略）に支持された巻取管に巻き直すことによって、所定形状のパッケージＰを形成する。また、ある巻取ユニット２に満玉パッケージが形成されたときには、玉揚装置３がその巻取ユニット２の頭上に移動して、満玉パッケージを空の巻取管に取り替えるようになっている。
【００２６】
機台制御装置４は、上述した複数の巻取ユニット２及び玉揚装置３の動作を制御するとともに、それらの動作状態の監視や動作パラメータの設定記憶等を行う。機台制御装置４は、ケース５と、このケース５の前面に取り付けられたパネルとを有する。ケース５内には、上記の巻取ユニット２や玉揚装置３と通信可能に接続された制御ユニット（図示省略）が収容されている。図１に示すように、ケース５の前面には、正面視で矩形状の収容凹部５ａが形成されており、パネル６は収容凹部５ａ内に収容された状態でケース５に取り付けられている。
【００２７】
以下、パネル６について詳細に説明する。図２はパネルの斜視図であり、（ａ）はコネクタが閉止された状態、（ｂ）はコネクタが開放された状態をそれぞれ示す。図３はパネルの正面図、図４はパネルの分解斜視図である。パネル６は、複数の巻取ユニット２や玉揚装置３のそれぞれについての動作パラメータの設定や動作状態の表示等を行うためのものである。図２〜図４に示すように、パネル６は、ベースプレート１０（ベース部材）と、ベースプレート１０に取り付けられた液晶ディスプレイ１１と、ベースプレート１０の前面を覆うカバー部材１２等を備えている。
【００２８】
ベースプレート１０は、矩形状の金属製プレートである。このベースプレート１０の中央部にはタッチパネル式の液晶ディスプレイ１１が取り付けられている。カバー部材１２は矩形枠状の部材であり、液晶ディスプレイ１１を囲うようにベースプレート１０の前面に取り付けられている。
【００２９】
パネル６は、外部機器接続用の２つのコネクタ１３，１４を有する。図４に示すように、ベースプレート１０の、液晶ディスプレイ１１よりも右側部分には、上下に並んだ２つの穴１０ａ，１０ｂが形成されている。これら２つの穴１０ａ，１０ｂの位置において、２つのコネクタ１３，１４がベースプレート１０の背面からネジで取り付けられている。また、カバー部材１２にも、２つのコネクタ１３，１４をそれぞれ露出させるための２つの穴１２ａ，１２ｂが上下に並べて形成されている。
【００３０】
２つのコネクタ１３，１４のうち、上側に位置するコネクタ１３はＵＳＢコネクタであり、ＵＳＢメモリを接続したり、あるいは、ＵＳＢケーブルを介してＰＣやプリンタ等と接続したりすることが可能である。一方、下側に位置するコネクタ１４はＬＡＮコネクタであり、ＬＡＮケーブルを介してＰＣ等と接続可能である。このように、機台制御装置４と外部機器（ＵＳＢメモリも含む）とを接続することによって、パッケージＰの巻取に関する各種の設定情報を外部機器から機台制御装置４へ送ったり、逆に、機台制御装置４に記憶されている各巻取ユニット２の動作履歴情報を取得したりすることが可能である。
【００３１】
尚、図３に示すように、前方から見たときに、２つのコネクタ１３，１４は、カバー部材１２に形成された２つの穴１２ａ，１２ｂの中央部よりもやや右側に寄った位置にある。その場合、パネル６の正面に立ったオペレータが、右手でＵＳＢメモリやケーブル等を持って、コネクタ１３，１４に抜き差ししやすくなる。また、ＬＡＮケーブルには、通常、固定用の爪が設けられており、この爪を押しながら下側のコネクタ１４に対して抜き差しする。ここで、コネクタ１４が穴１２ｂの中央部にあると抜き差しの際に爪が穴１２ｂの縁に当たりそうになる。しかし、図３に示すように、コネクタ１４が穴１２ｂの中央部に対して、例えば右側にずれた位置にあれば、左側のスペースが大きくなって、爪を左側に向けてＬＡＮケーブルを抜き差しすることが容易になる。
【００３２】
ところで、本実施形態の自動ワインダ１においては、各巻取ユニット２でそれぞれ糸Ｙが巻取られる際に発生した多量の風綿が、機台制御装置４の周囲にも漂っている状態となる。そのため、それらの風綿がコネクタ１３，１４に付着して接続不良等を生じさせる虞がある。そこで、本実施形態のパネル６は、２つのコネクタ１３，１４をそれぞれ覆う２つのコネクタカバー１５，１６を備えている。
【００３３】
コネクタカバー１５，１６について詳細に説明する。図２〜図４に示すように、上下２つのコネクタカバー１５，１６は、それぞれ矩形の板状部材であり、カバー部材１２の前面において上下対称に配置されている。各コネクタカバー１５，１６にはそれぞれ窪み１５ａ，１６ａが形成されており、窪み１５ａ，１６ａに指を押し当てながらコネクタカバー１５，１６を簡単に上下にスライドさせることができるようになっている。
【００３４】
２つのコネクタカバー１５，１６の裏側には、これら２つのコネクタカバー１５，１６をそれぞれ上下にスライドさせるための機構が設けられている。まず、図４に示すように、ベースプレート１０の、液晶ディスプレイ１１の右側部分に、上下に細長い案内部材２０がネジで固定されている。図５は、図４の案内部材２０及び被案内部材２５，２６を前方から見た図である。案内部材２０の、ベースプレート１０の２つの穴１０ａ，１０ｂに対応する位置には、２つの穴２０ａ，２０ｂが形成されている。また、案内部材２０は、上下方向に沿って互いに平行に延びる２本の案内レール２１（案内部）を有する。
【００３５】
一方、２つのコネクタカバー１５，１６には、カバー部材１２の裏側に配置された２つの被案内部材２５，２６（被案内部）がネジで取り付けられている。図５に示すように、上側の被案内部材２５，２６は、２本の案内レール２１の上半部の間に嵌め込まれ、下側の被案内部材２５，２６は２本の案内レール２１の下半部の間に嵌め込まれている。そして、図４に示すように、２つの被案内部材２５，２６は、カバー部材１２と案内部材２０との間において、２本の案内レール２１に沿ってそれぞれ上下に移動可能である。これにより、２つのコネクタカバー１５，１６は、それぞれ、被案内部材２５，２６と一体的に、ベースプレート１０及びカバー部材１２に対して上下方向にスライド移動する。
【００３６】
図２に示すように、上側のコネクタカバー１５は、その移動範囲の下端位置がコネクタ１３を完全に覆う閉位置（図２（ａ）参照）であり、移動範囲の上端位置がコネクタ１３を覆わない開位置（図２（ｂ）参照）となる。これに対して、下側のコネクタカバー１６は、開位置と閉位置とが上下逆である。即ち、コネクタカバー１６については、移動範囲の下端位置が開位置（図２（ｂ）参照）となり、上端位置が閉位置（図２（ａ）参照）となる。尚、図５に示すように、案内部材２０の２つの穴２０ａ，２０ｂの間には、上側の被案内部材２５の下端面、及び、下側の被案内部材２６の上端面とそれぞれ当接可能な、Ｉ字状のストッパー２３が設けられている。このストッパー２３によって、コネクタカバー１５，１６をそれぞれ開位置から閉位置へスライドさせたときに、これら２つのコネクタカバー１５，１６が閉位置を越えてさらに移動してしまうことが規制される。従って、コネクタカバー１５，１６が閉位置を通り過ぎてしまってコネクタ１３，１４が開放されてしまうことがない。
【００３７】
図５に示すように、２本の案内レール２１の各々の内面には、凹状の４つの第１係合部２７（保持部）が上下に間隔を空けて形成されている。一方、被案内部材２５，２６の各々の左右両側部には、外側に凸となる２つの第２係合部２８が形成されている。また、外側から力を受けたときに第２係合部２８が押し潰されやすくなるように、被案内部材２５，２６の、第２係合部２８よりも内側には穴２５ａ，２６ａが形成されている。被案内部材２５，２６が２本の案内レール２１に沿って移動する際には、凸状の２つの第２係合部２８は少し押し潰された状態でそれぞれ案内レール２１の内面を摺動する。第２係合部２８が第１係合部２７の位置に到達すると、第２係合部２８は元の凸形状に戻って凹状の第１係合部２７と係合する。
【００３８】
案内レール２１の４つの第１係合部２７ａ〜２７ｄのうちの上側２つの第１係合部２７ａ，２７ｂは、上側のコネクタカバー１５の位置を保持するためのものである。コネクタカバー１５が開位置（上端位置）にあるときには、第１係合部２７ａが被案内部材２５の第２係合部２８と係合して、コネクタカバー１５を保持する。一方、コネクタカバー１５が閉位置（下端位置）にあるときには、第１係合部２７ｂが被案内部材２５の第２係合部２８と係合してコネクタカバー１５を保持する。同様に、４つの第１係合部２７ａ〜２７ｄのうちの下側２つの第１係合部２７ｃ，２７ｄは、下側のコネクタカバー１６が閉位置（上端位置）及び開位置（下端位置）にあるときに被案内部材２６の第２係合部２８と係合して、コネクタカバー１６を保持する。
【００３９】
第１係合部２７と第２係合部２８とが係合してコネクタカバー１５，１６が開位置又は閉位置で保持された状態では、重力や装置振動等による外力によってコネクタカバー１５，１６の位置が勝手にずれることがない。即ち、オペレータが指で押し上げる、又は、押し下げるという操作をしない限り、コネクタカバー１５，１６は開位置又は閉位置から上下に移動しない。
【００４０】
また、２本の案内レール２１を有する案内部材２０は、第２係合部２８を有する被案内部材２５，２６よりも硬質材料で形成されている。例えば、被案内部材２５，２６がポリアセタール（ＰＯＭ）樹脂で形成され、案内部材２０は、ＰＯＭよりも硬質のＡＥＳ樹脂で形成される。
【００４１】
第２係合部２８の案内レール２１に対する摺動によって、案内レール２１と第２係合部２８とにそれぞれ摩耗が生じる。さらに摩耗が進行すると、コネクタカバー１５，１６がスライド移動する際にがたついたり、第１係合部２７によってコネクタカバー１５，１６を保持できなくなったりすると、部品交換が必要となる。ここで、第２係合部２８は凸状であり案内レール２０との接触面積が小さい状態で摺動することから、第２係合部２８の方が案内レール２０よりも摩耗が激しくなる。さらに、案内レール２１が、被案内部材２５，２６の第２係合部２８よりも硬質の材料で形成されていると、第２係合部２８に比べて案内レール２１の摩耗は非常に小さくなる。従って、ベースプレート１０に固定される案内部材２０を交換する必要がほとんどなく、被案内部材２５，２６のみを交換すれば済むため、交換作業が容易である。
【００４２】
また、第２係合部２８の摩耗によって、コネクタカバー１５，１６の位置保持機能が低下した場合、コネクタカバー１５，１６は重力の作用によって下方に落下しやすくなる。ここで、下側のコネクタカバー１６では、閉位置が、その移動範囲の上端位置であるため、本来閉位置にあるべきコネクタ１４の非接続時に、コネクタカバー１６が重力によって開位置まで落下し、コネクタ１４が開放されてしまうことが考えられる。これに対して、上側のコネクタカバー１５は、その移動範囲の下端位置が閉位置であることから、第１係合部２７による位置保持機能が低下しても、コネクタカバー１５が開位置になることはない。この点を考慮し、本実施形態のように、２つのコネクタ１３，１４の種類が異なる場合は、使用頻度が高いと予想される方のコネクタ（本実施形態ではＵＳＢコネクタ）が、上側に配置されることが好ましい。
【００４３】
以上説明したように、本実施形態においては、機台制御装置４のパネル６が、２つのコネクタ１３，１４をそれぞれ覆う２つのコネクタカバー１５，１６を備えている。そのため、外部機器と接続されていない状態にあるときに、２つのコネクタ１３，１４がコネクタカバー１５，１６によって覆われるため、コネクタ１３，１４に風綿が侵入することが確実に防止される。また、２つのコネクタ１３，１４が２つのコネクタカバー１５，１６によってそれぞれ個別に覆われることから、一方のコネクタ１３（１４）にのみ外部機器が接続されている場合に、外部機器と接続されていない他方のコネクタ１４（１３）についてはコネクタカバー１６（１５）で覆って風綿の侵入を確実に防止できる。
【００４４】
２つのコネクタカバー１５，１６がベースプレート１０及びカバー部材１２に対してスライドする構成であるため、コネクタカバー１５，１６を指でスライドさせることによって、コネクタカバー１５，１６の位置を開位置と閉位置との間で簡単に切り換えることができる。また、スライド移動するコネクタカバー１５，１６はパネル６から前方へ飛び出た状態とはならないことから、オペレータがパネル６を操作して設定を行ったり、コネクタ１３，１４への接続作業を行ったりする際の邪魔にならない。
【００４５】
また、案内部材２０の第１係合部２７と、コネクタカバー１５，１６の被案内部材２５，２６の第２係合部２８とが係合することによって、コネクタカバー１５，１６が、閉位置及び開位置でそれぞれ保持される。コネクタカバー１５，１６が閉位置で保持されることで、コネクタカバー１５，１６が閉位置から勝手に移動してコネクタ１３，１４が開放されてしまうことが防止される。また、コネクタカバー１５，１６が開位置においても保持されることで、コネクタ１３，１４に外部機器を接続したり、あるいは、コネクタ１３，１４から外部機器を取り外したり際に、コネクタカバー１５，１６が作業の邪魔にならない。
【００４６】
次に、前記実施形態に種々の変更を加えた変更形態について説明する。但し、前記実施形態と同様の構成を有するものについては、同じ符号を付して適宜その説明を省略する。
【００４７】
１］コネクタカバーの構成については、前記実施形態の構成に限定されるものではなく、以下に例示するように適宜変更可能である。
【００４８】
コネクタカバーのスライド方向については特に限定されない。例えば、左右方向にコネクタカバーがスライドする構成であってもよい。
【００４９】
パネル６に設けられるコネクタの数は２つに限られない。例えば、１つのコネクタのみが設けられてもよいし、３以上のコネクタが設けられてもよい。また、コネクタの配置に応じて、コネクタカバーの配置も適宜変更可能である。例えば、２つのコネクタ１３，１４が左右に並べて配置されるのであれば、対応する２つのコネクタカバー１５，１６も左右に並べて配置される。
【００５０】
複数のコネクタが個別のコネクタカバーによって覆われる構成には限られず、１つのコネクタカバーによって複数のコネクタが共通に覆われてもよい。
【００５１】
コネクタカバーが、コネクタが取り付けられたベースプレートに対してスライドする構成には限られない。例えば、図６では、コネクタカバー３５，３６がカバー部材１２に前後に回動自在に支持されている。オペレータは、コネクタカバー３５，３６の前面に形成された突起３５ａ，３６ａをつまんで前後に回動させることによって、コネクタカバー３５，３６を開閉させる。但し、この図６の構成では、コネクタカバー３５，３６を前方に回動させて開位置にしたときに、コネクタカバー３５，３６がパネル６から前方に飛び出すことになる。この観点においては、前記実施形態のように、コネクタカバー１５，１６がカバー部材１２に沿ってスライド移動する構成が好ましい。
【００５２】
２］前記実施形態では、案内レール２１に凹状の第１係合部２７が形成され、コネクタカバー１５，１６側の被案内部材２５，２６に凸状の第２係合部２８が形成されているが、第１係合部２７と第２係合部２８の凹凸関係が逆でもよい。また、前記実施形態では、案内レール２１が被案内部材２５，２６よりも硬質の材料で形成されていたが、これは必須ではない。即ち、被案内部材２５，２６の方が硬質の材料で形成されてもよいし、案内レール２１と被案内部材２５，２６が同じ材料で形成されていてもよい。
【００５３】
３］前記実施形態では、コネクタカバー１５，１６を開位置と閉位置とでそれぞれ保持可能な構成となっている。しかし、オペレータがコネクタカバーを開位置に移動させて片方の手で抑えつつ、もう片方の手で接続作業をすることは可能であるため、開位置でコネクタカバーが保持されることは必須ではない。また、コネクタカバーが、閉位置から開位置へ移動しにくい構成であれば、閉位置においてコネクタカバーが保持される必要は特にない。例を挙げると、前記実施形態の上側のコネクタカバー１５のように、その移動範囲の下端位置が閉位置になっている場合は、オペレータがコネクタカバー１５を押し上げない限り、通常は、下側の閉位置から上側の開位置へ勝手に移動することはないため、閉位置でコネクタカバーを保持する必要は必ずしもない。
【００５４】
４］前記実施形態では、コネクタとして、ＵＳＢコネクタ及びＬＡＮコネクタを例示したが、これら以外の種類のコネクタであってもよい。例えば、メモリーカードを挿入するカードスロットであってもよい。
【００５５】
５］前記実施形態では、機台制御装置４のケース５に取り付けられたパネル６に、コネクタ１３，１４が設けられている構成を例示したが、ケース５のパネル６以外の場所にコネクタが設けられている場合でも、風綿の侵入という問題は同様に起こり得ることから、本発明を適用することができる。
【００５６】
６］前記実施形態では、自動ワインダに本発明を適用した例を挙げて説明したが、紡績機、撚糸機、延伸仮撚機等、他の繊維機械に対しても本発明を適用可能である。
【符号の説明】
【００５７】
１  自動ワインダ
４  機台制御装置
１０  ベースプレート
１３，１４  コネクタ
１５，１６  コネクタカバー
２１  案内レール
２３  ストッパー
２５，２６  被案内部材
２７  第１係合部
２８  第２係合部
３５，３６  コネクタカバー
【図１】
2013253336.tif 000003
【図２】
2013253336.tif 000004
【図３】
2013253336.tif 000005
【図４】
2013253336.tif 000006
【図５】
2013253336.tif 000007
【図６】
2013253336.tif 000008